(57)【要約】【課題】本発明は、記録媒体、データ送信装置、データ受信装置及び光ディスク装置に関し、特に所定のブロック単位でコンピュータデータ等を伝送し、又は光ディスクに記録するシステムに適用して、傷等によって同期パターンを正しく検出できない場合でも、識別データＩＤを正しく検出して確実にメインデータを復調できるようにする。【解決手段】本発明は、プリアンブルの末尾に割り当てられた固定値のデータを参考にしてメインデータ部の先頭に配置された識別データＩＤを検出する。【選択図】        図１
2006260764.tif 000002
【特許請求の範囲】
【請求項１】
所定データ量のデータによりフレームが形成され、複数の前記フレームにより小ブロックが形成され、複数の前記小ブロックによりブロックが形成され、前記ブロックの先頭にプリアンブルが配置され、前記ブロック及びプリアンブルを単位にして、前記データを記録した記録媒体において、
前記各フレームの先頭には各フレームを識別するためのための識別パターンが配置され、
少なくとも前記小ブロックの先頭フレームには、他のフレームに配置される識別パターンとは異なる特定の前記識別パターンが割り当てられ、
前記小ブロックの先頭フレームには、前記各小ブロックを識別するための識別データが割り当てられ、
少なくとも前記プリアンブルの末尾側に、前記識別データを検出する基準となる固定値のデータが割り当てられた
ことを特徴とする記録媒体。
【請求項２】
前記小ブロックを形成する前記フレームの数に比して種類の少ない識別パターンが前記各フレームに順次割り当てられ、
前記各小ブロックにおいて、
連続するフレームを任意に選択した場合に、前記連続するフレームに割り当てた前記識別パターンの組み合わせが、他の何れかの連続するフレームに割り当てた前記識別パターンの組み合わせと異なるように、前記識別パターンを割り当てた
ことを特徴とする請求項１に記載の記録媒体。
【請求項３】
前記各小ブロックにおいて、
連続する３つのフレームを任意に選択した場合に、前記連続する３つのフレームの先頭のフレーム及び末尾のフレームに割り当てた前記識別パターンの組み合わせが、他の何れかの３つの連続するフレームの先頭のフレーム及び末尾のフレームに割り当てた前記識別パターンの組み合わせと異なるように、前記識別パターンが割り当てられた
ことを特徴とする請求項２に記載の記録媒体。
【請求項４】
所定データ量のデータによりフレームを形成し、複数の前記フレームにより小ブロックを形成し、複数の前記小ブロックによりブロックを形成し、前記ブロックにプリアンブルを配置し、前記ブロック及びプリアンブルを単位にして、前記データを送信するデータ送信装置において、
前記各フレームの先頭に、各フレームを識別するための識別パターンを配置し、
少なくとも前記小ブロックの先頭フレームには、他のフレームに配置される識別パターンとは異なる特定の前記識別パターンを割り当て、
前記小ブロックの先頭フレームに、前記各小ブロックを識別するための識別データを割り当て、
少なくとも前記プリアンブルの末尾側に、前記識別データを検出する基準となる固定値のデータを割り当てた
ことを特徴とするデータ送信装置。
【請求項５】
前記小ブロックを形成する前記フレームの数に比して種類の少ない識別パターンを前記各フレームに順次割り当て、
前記各小ブロックにおいて、
連続するフレームを任意に選択した場合に、前記連続するフレームに割り当てた前記識別パターンの組み合わせが、他の何れかの連続するフレームに割り当てた前記識別パターンの組み合わせと異なるように、前記識別パターンを割り当てた
ことを特徴とする請求項４に記載のデータ送信装置。
【請求項６】
前記各小ブロックにおいて、
連続する３つのフレームを任意に選択した場合に、前記連続する３つのフレームの先頭のフレーム及び末尾のフレームに割り当てた前記識別パターンの組み合わせが、他の何れかの３つの連続するフレームの先頭のフレーム及び末尾のフレームに割り当てた前記識別パターンの組み合わせと異なるように、前記識別パターンを割り当てた
ことを特徴とする請求項５に記載のデータ送信装置。
【請求項７】
所定値のデータをスクランブル処理して、前記固定値のデータを含む前記プリアンブルに配置するデータを生成する
ことを特徴とする請求項４に記載のデータ送信装置。
【請求項８】
所定値のデータをスクランブル処理して、前記固定値のデータを除く前記プリアンブルに配置するデータを生成する
ことを特徴とする請求項４に記載のデータ送信装置。
【請求項９】
所定のブロック単位で伝送された所望のデータを受信するデータ受信装置において、
前記ブロックは、先頭にプリアンブルが配置され、複数の小ブロックにより形成され、
前記小ブロックは、それぞれ所定データ量の前記データによる複数のフレームにより形成され、
前記各フレームは、各フレームの識別パターンが配置され、
前記小ブロックの先頭フレームは、各小ブロックの識別データが配置され、
前記データ受信装置は、
前記プリアンブルの末尾に配置された前記識別データを検出する基準となる固定値のデータを検出し、前記固定値のデータの検出結果を基準にして、前記プリアンブルに続く前記小ブロックの前記識別データを検出し、
前記識別データの検出結果に基づいて、前記ブロックのデータを復号する
ことを特徴とするデータ受信装置。
【請求項１０】
所定ビット数の誤検出を許容して、前記固定値のデータを検出する
ことを特徴とする請求項９に記載のデータ受信装置。
【請求項１１】
所定データ量のデータによりフレームを形成し、複数の前記フレームにより小ブロックを形成し、複数の前記小ブロックによりブロックを形成し、前記ブロックにプリアンブルを配置し、前記ブロック及びプリアンブルを単位にして、前記データを光ディスクに記録する光ディスク装置において、
前記各フレームの先頭に、各フレームを識別するための識別パターンを配置し、
少なくとも前記小ブロックの先頭フレームには、他のフレームに配置される識別パターンとは異なる特定の前記識別パターンを割り当て、
前記小ブロックの先頭フレームに、前記各小ブロックを識別するための識別データを割り当て、
少なくとも前記プリアンブルの末尾側に、前記識別データを検出する基準となる固定値のデータを割り当てた
ことを特徴とする光ディスク装置。
【請求項１２】
前記小ブロックを形成する前記フレームの数に比して種類の少ない識別パターンを前記各フレームに順次割り当て、
前記各小ブロックにおいて、
連続するフレームを任意に選択した場合に、前記連続するフレームに割り当てた前記識別パターンの組み合わせが、他の何れかの連続するフレームに割り当てた前記識別パターンの組み合わせと異なるように、前記識別パターンを割り当てた
ことを特徴とする請求項１１に記載の光ディスク装置。
【請求項１３】
前記各小ブロックにおいて、
連続する３つのフレームを任意に選択した場合に、前記連続する３つのフレームの先頭のフレーム及び末尾のフレームに割り当てた前記識別パターンの組み合わせが、他の何れかの３つの連続するフレームの先頭のフレーム及び末尾のフレームに割り当てた前記識別パターンの組み合わせと異なるように、前記識別パターンを割り当てた
ことを特徴とする請求項１２に記載の光ディスク装置。
【請求項１４】
所定値のデータをスクランブル処理して、前記固定値のデータを含む前記プリアンブルに配置するデータを生成する
ことを特徴とする請求項１１に記載の光ディスク装置。
【請求項１５】
所定値のデータをスクランブル処理して、前記固定値のデータを除く前記プリアンブルに配置するデータを生成する
ことを特徴とする請求項１１に記載の光ディスク装置。
【請求項１６】
所定のブロック単位で光ディスクに記録されたデータを再生する光ディスク装置において、
前記ブロックは、先頭にプリアンブルが配置され、複数の小ブロックにより形成され、
前記小ブロックは、それぞれ所定データ量の前記データによる複数のフレームにより形成され、
前記各フレームは、各フレームの識別パターンが配置され、
前記小ブロックの先頭フレームは、各小ブロックの識別データが配置され、
前記光ディスク装置は、
前記プリアンブルの末尾に配置された前記識別データを検出する基準となる固定値のデータを検出し、前記固定値のデータの検出結果を基準にして、前記プリアンブルに続く前記小ブロックの前記識別データを検出し、
前記識別データの検出結果に基づいて、前記ブロックのデータを復号する
ことを特徴とする光ディスク装置。
【請求項１７】
所定ビット数の誤検出を許容して、前記固定値のデータを検出する
ことを特徴とする請求項１６に記載の光ディスク装置。
【発明の詳細な説明】
【技術分野】
【０００１】
本発明は、記録媒体、データ送信装置、データ受信装置及び光ディスク装置に関し、特に所定のブロック単位でコンピュータデータ等を伝送し、又は光ディスクに記録するシステムに適用することができる。本発明は、プリアンブルの末尾に割り当てられた固定値のデータを参考にしてメインデータ部の先頭に配置された識別データを検出することにより、傷等によって識別パターンを正しく検出できない場合でも、識別データＩＤを正しく検出して確実にメインデータを復調できるようにする。
【背景技術】
【０００２】
従来、光ディスク装置においては、所望のデータをブロック単位で処理して光ディスクに記録するようになされており、これら各ブロックに割り当てた識別データを基準にして光ディスクに記録されたデータを正しく再生できるようになされている。
【０００３】
すなわち、例えばこの種の光ディスク装置でなるＤＶＤ（Digital Versatile Disc）においては、順次入力されるビデオ信号及びオーディオ信号をディジタル信号に変換してディジタルビデオ信号及びディジタルオーディオ信号を生成する。さらに光ディスク装置は、ＭＰＥＧ（Moving Picture Experts Group）に規定のフォーマットによりディジタルビデオ信号をデータ圧縮し、同様にデータ圧縮したディジタルオーディオ信号と多重化した後（以下この多重化したデータをＡＶデータと呼ぶ）、スクランブル処理する。
【０００４】
さらに光ディスク装置は、図１６に示すように、アドレスを示す識別データＩＤ（Identification Data ）等をＡＶデータに付加した後、所定ブロック単位で区切り、各ブロックに誤り訂正符号、プリアンブル（Ｐｒｅ  Ａｍｂｌｅ）、ポストアンブル（Ｐｏｓｔ  Ａｍｂｌｅ）等を付加し、これら各ブロックのデータより１クラスタのデータを生成する。これにより光ディスク装置は、この１クラスタでなる誤り訂正処理のブロックを単位にしてＡＶデータを光ディスクに記録し、また再生する。なおこの図１６においては、フレーム数を符号Ｆｒにより示す。また以下、１クラスタのうち、プリアンブル及びポストアンブルを除く部分をメインデータ部と呼ぶ。
【０００５】
さらに光ディスク装置は、この１クラスタのメインデータより１６個のセクタのデータを形成し、さらに図１７に示すように各セクタのデータより２６個のシンクフレームを形成する。ここで各シンクフレームは、９１バイト単位のＡＶデータ等に同期パターンＳＹ０〜ＳＹ７が割り当てられて形成される。
【０００６】
ＤＶＤにおいて、各シンクフレームは、８種類の同期パターンＳＹ０〜ＳＹ７（以下第１〜第８の同期パターンと呼ぶ）が順次所定順序により割り当てられる。すなわち各セクタにおいて、先頭には、セクタの開始を示す第１の同期パターンＳＹ０が割り当てられ、続いてＩＤデータ等により第１のシンクフレームが形成される。また各セクタにおいては、続いて第６の同期パターンＳＹ５が割り当てられてＡＶデータ等によりシンクフレームが形成される。
【０００７】
さらに各セクタは、残る２４フレームを３つのブロックに区切り、各ブロックの偶数フレームには、それぞれ第６、第７、第８の同期パターンＳＹ５、ＳＹ６、ＳＹ７が割り当てられる。また各ブロックの奇数フレームには、第２〜第５の同期パターンＳＹ１〜ＳＹ４が順次割り当てられる。
【０００８】
これによりＤＶＤでは、偶数フレームの同期パターンＳＹ５、ＳＹ６、ＳＹ７により各セクタの前半ブロック、中央のブロック、後半のブロックか否か判定し、さらに奇数フレームの同期パターンＳＹ０〜ＳＹ４により各ブロックの何れのフレームかを判定できるようになされ、この判定結果に基づいて順次再生されるデータを復調できるようになされている。
【０００９】
これに対してプリアンブル及びポストアンブルにおいては、それぞれ８個のシンクフレームが割り当てられ、ポストアンブルには、第５〜第１の同期パターンＳＹ４〜ＳＹ１が順次２フレームずつ、ポストアンブルにおいては、第５の同期パターンＳＹ４が割り当てられ、これら同期パターンに続いて何ら意味を成さないデータが割り当てられるようになされている。
【００１０】
このようにして形成される１のクラスタにおいて、識別データＩＤは、各セクタの第１フレームに同期パターンＳＹ０に続いて配置され、この識別データＩＤを基準にして各セクタを識別できるようになされ、また識別結果に基づいて正しくデータを復調できるようになされている。このため光ディスク装置では、第１の同期パターンＳＹ０を基準にして、又は第１の同期パターンＳＹ０の前に続く同期パターンを基準にして、識別データＩＤを検出し、この検出した識別データを基準にして再生データを処理するようになされている。
【００１１】
ところでこの種の光ディスク装置においては、ＡＶデータを高密度記録することにより、傷等の影響で同期パターンを正しく検出できない場合がある。特に、プリアンブルにおいては、隣接するクラスタの重ね書き記録により損傷を受ける場合があり、これによりメインデータ部の先頭に配置された同期パターンＳＹ０においては、正しく検出されない場合がある。また同期パターンにおいては、他の部分では発生し得ない、互いに似かよった論理パターンが割り当てられることにより、他の同期パターンとの間で誤検出される場合もある。
【００１２】
これによりこの種の光ディスク装置においては、ポストアンブルに続く第１のセクタにおいて、識別データＩＤを正しいタイミングにより検出することが困難な場合があり、これによりこの識別データＩＤより１のクラスタを正しく復号できない場合があった。
【特許文献１】特開平６−１９５８７８号公報
【特許文献２】特開平７−１６１１４８号公報
【特許文献３】国際公開第９６／３１８８０号パンフレット
【特許文献４】特開平４−３５５２７３号公報
【発明の開示】
【発明が解決しようとする課題】
【００１３】
本発明は以上の点を考慮してなされたもので、傷等によって同期パターンを正しく検出できない場合でも、識別データＩＤを正しく検出して、確実にメインデータを復調することができる記録媒体、データ送信装置、データ受信装置及び光ディスク装置を提案しようとするものである。
【課題を解決するための手段】
【００１４】
かかる課題を解決するため本発明においては、記録媒体、データ送信装置、光ディスク装置において、記録再生単位でなるブロックを構成する小ブロックの先頭フレームに、他のフレームに配置される識別パターンとは異なる特定の識別パターンを割り当て、この小ブロックの先頭フレームには、前記各小ブロックを識別するための識別データが割り当てられている場合に、少なくともプリアンブルの末尾側に、前記識別データを検出する基準となる固定値のデータを割り当てる。
【００１５】
またデータ受信装置、光ディスク装置において、プリアンブルの末尾に配置された識別データを検出する基準となる固定値のデータを検出し、この固定値のデータの検出結果を基準にして、プリアンブルに続く小ブロックの識別データを検出し、この識別データの検出結果に基づいて、各ブロックのデータを復号する。
【００１６】
プリアンブルの末尾側に、固定値のデータを割り当てる場合には、識別パターンに比して長いパターンを割り当てることができる。これにより同期パターンを正しく検出できない場合でも、この固定値のデータを基準にして確実に識別データのタイミングを検出することができ、このタイミングにより識別データを検出することができる。
【発明の効果】
【００１７】
本発明によれば、プリアンブルの末尾に割り当てられた固定値のデータを参考にしてメインデータ部の先頭に配置された識別データＩＤを検出することにより、傷等によって同期パターンを正しく検出できない場合でも、識別データＩＤを正しく検出して確実にメインデータを復調することができる。
【発明を実施するための最良の形態】
【００１８】
以下、適宜図面を参照しながら本発明の実施例を詳述する。
【実施例１】
【００１９】
（１）第１の実施例の構成
図２は、本発明の第１の実施例に係る光ディスク装置を示すブロック図である。この光ディスク装置１は、コンピュータ等の情報機器に接続されて、これら情報機器のデータＤ１を光ディスク２に記録し、また光ディスク２に記録したデータＤ１を再生して出力する。
【００２０】
このため光ディスク装置１は、ＭＣＵ（Microcontroller Unit ）３を介して外部機器との間で種々の制御コマンド等を入出力し、外部機器より入力される制御コマンドに応動してマイクロコンピュータ構成のコントロール部４により各ブロックの動作を制御する。
【００２１】
この光ディスク装置１において、データ入力部５は、バッファメモリにより構成され、外部機器より入力される種々のデータＤ１を一時蓄積し、クラスタを構成する所定ブロック単位で出力する。ＩＤ、ＥＤＣエンコード部６は、このデータ入力部５の出力データに対して所定の誤り検出符号（ＥＤＣ：Error Detecting Code) を付加した後、スクランブル処理する。さらにＩＤ、ＥＤＣエンコード部６は、このスクランブルしたデータに対して、図１７について上述した識別データＩＤ等を順次付加して出力する。
【００２２】
ＥＣＣエンコード部７は、ＩＤ、ＥＤＣエンコード部６の出力データに誤り訂正符号（ＥＣＣ：Error Correcting Code)を付加してメモリ８に出力する。メモリ８は、このＥＣＣエンコード部７の出力データを一時保持し、所定順序により変調部１０に出力する。
【００２３】
変調部１０は、所定順序によりメモリ８より出力されるデータを受け、この出力データをＮＲＺＩ（Non Return to Zero Inverted ）変調して変調データＤＲを出力する。磁界変調ドライバ１１は、この変調部１０の出力データにより変調コイル１２を駆動する。これにより光ディスク装置１は、光ピックアップ１４によるレーザービーム照射位置に変調磁界を印加し、コンピュータ等のデータＤ１を熱磁気記録する。
【００２４】
ここで光ディスク２は、光磁気ディスクでなり、レーザービームのガイド溝を担うプリグルーブが情報記録面に蛇行して形成される。スピンドルモータ１３は、サーボ回路１８の制御によりこの光ディスク２を所定の回転速度により回転駆動する。
【００２５】
光ピックアップ１４は、光ディスク２を間に挟んで、変調コイル１２と対向するように保持され、所定のスレッド機構により光ディスク２の半径方向に移動し、光ディスク装置１では、これによりシークし得るようになされている。光ピックアップ１４は、光ディスク２にレーザービームを照射し、その戻り光を所定の受光素子により受光して受光結果を出力する。
【００２６】
ＲＦアンプ１５は、この光ピックアップ１４の受光結果を電流電圧変換処理した後、演算処理し、これにより戻り光の偏光面に応じて信号レベルが変化する再生信号ＭＯ、トラッキングエラー量に応じて信号レベルが変化するトラッキングエラー信号ＴＥ、フォーカスエラー量に応じて信号レベルが変化するフォーカスエラー信号ＦＥ、プリグルーブの蛇行に応じて信号レベルが変化するＡＤＩＰ（Address In Pre-groove ）信号ＡＤＩＰを出力する。さらに光ピックアップ１４は、記録時、間欠的にレーザービームの光量を立ち上げる。
【００２７】
サーボ回路１８は、このＡＤＩＰ信号ＡＤＩＰの中心周波数が所定周波数になるようにスピンドルモータ１３を駆動し、これにより光ディスク２の線速度一定の条件により回転駆動する。またサーボ回路１８は、トラッキングエラー信号ＴＥ、フォーカスエラー信号ＦＥに応じて光ピックアップ１４の対物レンズを左右、上下に可動し、これにより光ピックアップ１４をトラッキング制御、フォーカス制御する。
【００２８】
ＡＤＩＰ信号復調回路１６は、内蔵の周波数復調回路にＡＤＩＰ信号ＡＤＩＰを受け、グルーブの蛇行周期の変位に応じて信号レベルが変化する周波数復調信号を生成する。さらにＡＤＩＰ信号復調回路１６は、この周波数復調信号を２値化して順次ラッチすることにより、グルーブの蛇行周期の変位により光ディスク２に記録されたレーザービーム照射位置の位置情報を検出する。ＡＤＩＰ信号デコード部１７は、このＡＤＩＰ信号復調回路１６の出力データを誤り検出してＭＣＵ部３に出力し、これにより光ディスク装置１では、ＭＣＵ部３においてアクセス位置を検出して所望の記録再生位置をアクセスできるようになされている。
【００２９】
復調部１９は、再生時、再生信号ＭＯよりクロックを生成し、このクロックを基準にして再生信号ＭＯの処理に必要な各種基準信号を生成する。さらに復調部１９は、再生信号を２値化して再生データを生成し、この再生データより復号データＤ３を復号する。ＩＤデコード部２０は、復号データＤ３より識別データＩＤを検出し、この検出結果を内蔵のメモリ制御回路に通知する。
【００３０】
メモリ２１は、このメモリ制御回路のアドレス制御により、復調部１９より出力される復号データＤ３を順次所定領域に入力し、またこの復号データＤ３を所定順序により出力する。ＥＣＣデコード部２２は、メモリ２１に保持された復号データＤ３を、この復号データＤ３に付加された誤り訂正符号により誤り訂正処理して出力する。
【００３１】
ＥＤＣデコード部２３は、ＥＣＣデコード部２２の出力データを誤り検出処理して出力し、データ出力部２４は、このＥＤＣデコード部２３の出力データＤ１を一時保持して、外部機器に出力する。
【００３２】
図３は、この光ディスク装置１における記録データＤＲの生成を詳細に示すブロック図である。ＩＤ、ＥＤＣエンコード部６は、内蔵のスクランブル回路６Ａにより、データ入力部５より出力されるデータ（メインデータと呼ぶ）Ｄ１をスクランブル処理する。さらにＩＤ、ＥＤＣエンコード部６は、１セクタ分のメインデータＤ１に対して、制御データＣＴＲＬ、識別データＩＤ、リザーブ用のデータＡＵＸを付加する。ここで制御データＣＴＲＬは、いわゆるダブルスパイラルディスクにおいてＡ／Ｂトラックの識別信号、将来のディスクフォーマットの為のリザーブ用に利用され、この光ディスク２に対しては論理０による１バイトのデータが割り当てられる。また識別データＩＤは、各セクタを識別して再生データを復号する為に使用され、４バイトのデータが割り当てられる。またリザーブ用のデータＡＵＸは、必要に応じて種々の利用できるように割り当てられ、ここでは論理０による６バイトのデータが割り当てられる。
【００３３】
ＩＤ、ＥＤＣエンコード部６は、内蔵のパリティ生成回路６Ｂにより、制御データＣＴＲＬ、識別データＩＤに誤り訂正用の２バイトのパリティ（ＩＥＣ）を生成する。さらに演算回路６Ｃによりリザーブ用のデータＡＵＸ及びメインデータＤ１からＣＲＣ（Cyclic Redundancy Check ）符号による３２ビットの誤り検出符号ＥＤＣを生成する。なおこの１セクタには、制御データＣＴＲＬ等を含めて、全体で１２×１７２バイトのデータが割り当てられる。
【００３４】
続くＥＣＣエンコード部７は、このようにして生成した１６セクタ分のデータを単位にして、積符号形式の誤り訂正符号ＥＣＣを生成した後、メモリ８の入出力によりインターリーブ処理する。続く変調部１０は、図４に示す変調規則によりメモリ２１の出力データをＲＬＬ（１，７）変調する。すなわち例えばこの図４の２行目に示すように、変調された末尾のデータが論理０の場合に（Preceding channel bit ）、論理００のデータが連続し（Current Input bits）、続いて論理１のデータが続く場合（Following Input bits）、論理００の入力データを、論理０００の変調データ（Channel Bits RLL(1,7)）に変調する。
【００３５】
さらに変調部１０は、プリアンブル、ポストアンブルを形成するデータＤＰと共に、内蔵のＤＳＶ制御回路１０Ａにより順次ＤＳＶ（Digital Sum Value ）制御用のコントロールデータを付加し、これにより変調データＤＲの低域成分を抑圧する。変調部１０では、このようにして生成した１６セクタ分のデータ、プリアンブル、ポストアンブルのデータをＮＲＺＩ変調回路１０ＢによりＮＲＺＩ変調し、この変調データに同期パターンを付加する。
【００３６】
図５は、このようにしてＩＤ、ＥＤＣエンコード部６により生成される１セクタ分のデータ構成を示す図表である。この実施例において、各セクタは、先頭より制御データＣＴＲＬ、識別データＩＤ、パリティＩＥＣ、リザーブ用データＡＵＸが連続した後、メインデータが割り当てられ、最後のシンクフレームの末尾に、誤り検出符号ＥＤＣが配列される。なおこの１セクタ分のデータに対して、光ディスク装置１では、ＥＣＣエンコード部７により１ｒｏｗｓ×１７２バイト分の誤り訂正符号が付加されることになり、この実施例では、全体として１セクタが１３ｒｏｗｓ×２＝２６シンクフレームにより形成される。
【００３７】
図６は、このようにして生成される１クラスタの構成を示す図表である。この実施例では、メインデータにより形成される２６個のシンクフレームにより１セクタを形成する。さらに１６セクタのデータにプリアンブル及びポストアンブルを配置して１クラスタを形成する。ここでプリアンブル及びポストアンブルは、それぞれ１０シンクフレーム及び６シンクフレームにより形成される。さらに各シンクフレームには変調部１０において、所定の同期パターンＳＹ０〜ＳＹ６が付加される。
【００３８】
すなわち各シンクフレームは、それぞれ図７に示す７種類の同期パターンＳＹ０〜ＳＹ６が選択的に割り当てられる。ここで各同期パターンＳＹ０〜ＳＹ６は、ＰＬＬ回路の同期に適し、それぞれ値が異なり、かつ他の部分では発生しない論理パターンのデータが割り当てられる。またシンクフレームの数に比して少ない種類により構成され、これによりこの同期パターンを割り当てることによる冗長度の増大を低減する。
【００３９】
ここで変調部１０は、図６及び図８に示すように、メインデータ部において、連続するシンクフレーム間では、１のセクタ内で、同一の組み合わせによる同期パターンが発生しないように、すなわち連続するフレームを任意に選択した場合に、この連続するフレームに割り当てた同期パターンの組み合わせが、他の何れかの連続するフレームに割り当てた同期パターンの組み合わせと異なるように、同期パターンを配置する。これにより変調部１０は、連続する同期パターンを正しく再生できた場合には、連続する２つの同期パターンによりシンクフレームを特定できるようにする。
【００４０】
さらに図９に示すように、変調部１０は、メインデータ部において、１つの同期パターンを間に挟んだ前後の同期パターンにおいても、１のセクタ内で、同一の組み合わせによる同期パターンが発生しないように、すなわち連続する３つのフレームを任意に選択した場合に、この連続する３つのフレームの先頭のフレーム及び末尾のフレームに割り当てた同期パターンの組み合わせが、他の何れかの３つの連続するフレームの先頭のフレーム及び末尾のフレームに割り当てた同期パターンの組み合わせと異なるように、同期パターンを配置する。これにより変調部１０は、連続する３つの同期パターンのうち、間に挟まれた同期パターンを正しく再生できない場合でも、また誤って再生した場合でも、前後の同期パターンによりシンクフレームを特定できるようにする。
【００４１】
かくするにつき、このように連続する同期パターンにおいて、また１つの同期パターンを間に挟んだ前後の同期パターンにおいて、１のセクタ内で、同一の組み合わせによる同期パターンが発生しないようにすれば、４つの連続する同期パターンについても、１のセクタ内で、同一の組み合わせによる同期パターンが発生しないようになる。
【００４２】
これにより連続する３フレームの同期パターンによっても、シンクフレームを特定することができ、特定箇所で連続する２以上の同期パターンを正しく検出できない場合でも、他の箇所の同期パターンによりシンクフレームを特定することができる。また連続する４フレームの同期パターンにより、何れかの同期パターンを誤検出した場合でも、この誤検出した同期パターンを特定して、かつシンクフレームを正しく特定することができる。
【００４３】
さらに各セクタの先頭のシンクフレームについては、他のシンクフレームとは異なる第１の同期パターンＳＹ０が割り当てられ、これによりこの特定の同期パターンＳＹ０により各セクタの開始を簡易に検出できるようになされている。
【００４４】
これに対してプリアンブルにおいては（図６）、先頭側に、第７の同期パターンＳＹ６が連続するように配置され、これによりクラスタの先頭を簡易に検出できるようになされている。またメインデータ部に近づくに従って、第７の同期パターンＳＹ６以外の同期パターンＳＹ２、ＳＹ１、……が配置され、これにより第１のセクタに近づく程プリアンブルにおける詳細な位置を特性できるようになされている。
【００４５】
これに対してポストアンブルは、第７の同期パターンＳＹ６が繰り返され、これによりクラスタの末尾を簡易に特定できるようになされている。
【００４６】
図１０は、変調部１０において、プリアンブル及びポストアンブルに割り当てるデータＤＰの生成回路を示すブロック図であり、スクランブル回路１０Ｃにより構成される。光ディスク装置１では、このスクランブル回路１０Ｃにより論理０により連続するデータをスクランブル処理して、プリアンブル及びポストアンブルに割り当てるデータを生成する。なおメインデータ部に対するスクランブル処理も、同様の回路構成により実施される。
【００４７】
このスクランブル回路１０Ｃにおいては、プリアンブルの開始の時点で１８段のシフトレジスタ１０Ｄに初期値データＤＰ１をセットし、このシフトレジスタ１０Ｄに保持したデータを順次ビットクロックにより転送する。さらにスクランブル回路１０Ｃは、このシフトレジスタ１０Ｄの７段目の出力データと、最終段の出力データとを剰余演算回路１０Ｅに入力し、ここでこれらの出力データの和データから法２による剰余を計算し、この剰余をシフトレジスタの初段に入力する。
【００４８】
さらにスクランブル回路１０Ｃは、シフトレジスタ１０Ｄの７段目の最終段の出力データと、論理０の入力データとを剰余演算回路１０Ｆに入力し、ここでこれらの和データより法２による剰余を計算し、この剰余をポストアンブル及びプリアンブルに割り当てるデータＤＰとして出力する。
【００４９】
ここで初期値データＤＰ１は、出力データＤＰの論理レベルが論理０又は１に収束しないように、所定の論理レベルによるデータが割り当てられる。これによりこの光ディスク装置１では、プリアンブルの各シンクフレームにおいては、所定の固定値によるデータが割り当てられるようになされている。この実施例では、このうちの、メインデータ部側の末尾に割り当てられる４８ビットのデータ（図６においてハッチングにより示す部分でなる）を識別データＩＤの検出に役立てる。なおこの４８ビットのデータは、論理”100100100100010100010100100100000100100100100010”の記録データＤＲであり、以下クラスタ同期信号と呼ぶ。
【００５０】
図１は、このようにしてクラスタ単位で記録したデータを再生する光ディスク装置１の復調部１９を周辺構成と共に詳細に示すブロック図である。復調部１９は、ＲＦアンプ１５より出力される再生信号ＭＯを波形等化した後、２値化回路３０に入力する。２値化回路３０は、この波形等化回路より出力される再生信号ＭＯを２値化し、２値化信号Ｓ１を出力する。ＰＬＬ回路３１は、この２値化信号Ｓ１を基準にしてクロックＣＫを再生する。カウンタ３２は、リングカウンタでなり、オア回路３３より出力されるタイミング信号を基準にしてクロックＣＫをカウントすることにより、同期パターンのタイミングで信号レベルが立ち上がるフレーム同期信号ＦＣＫ、このフレーム同期信号ＦＣＫより広い範囲で信号レベルが立ち上がる同期信号検出用ウインドウ信号ＦＣＫＷを出力する。
【００５１】
復調回路３４は、クロックＣＫを基準にして２値化信号Ｓ１を順次ラッチすることにより、再生データを検出する。さらに復調回路３４は、図４との対比により示す図１１の復調規則に従って、再生データより復号データＤ３を復号して出力する。すなわち例えばこの図１１の１行目に示すように、復号されたデータが論理１０の場合に（Preceding channel bits）、論理０００の再生データが連続し（Current channel bits）、続いて論理１又は０の再生データが続く場合（Following channel bits）、この論理０００の再生データを、論理００の復号データ（Decoded information bits）に復号する。
【００５２】
同期パターン検出回路３５は、２値化信号Ｓ１より同期パターンＳＹ０〜ＳＹ６を検出して検出結果を出力する。すなわち同期パターン検出回路３５は、それぞれ同期パターンＳＹ０〜ＳＹ６を検出して、対応する検出結果を出力する同期パターン検出回路３５Ａ〜３５Ｇにより構成される。同期パターン検出回路３５は、同期パターンＳＹ０〜ＳＹ６のビット長に対応するシフトレジスタ（図示せず）において、クロックＣＫにより２値化信号Ｓ１を順次ラッチして転送すると共に、このシフトレジスタのパラレル出力により所定のメモリをアクセスし、これにより２値化信号Ｓ１に同期パターンＳＹ０〜ＳＹ６が現れると、このメモリの対応するビット出力の論理レベルを立ち上げて同期パターンＳＹ０〜ＳＹ６の検出結果を出力する。
【００５３】
アンド回路３６Ａ〜３６Ｇは、同期パターン検出回路３５より出力される各同期パターンＳＹ０〜ＳＹ６の検出結果と、同期信号検出用ウインドウ信号ＦＣＫＷとの論理積信号を出力し、オア回路３３は、これらアンド回路３６Ａ〜３６Ｇより出力される論理積信号の論理和信号をタイミング信号として出力する。これにより復調部１９では、カウンタ３２、同期パターン検出回路３５、アンド回路３６Ａ〜３６Ｇ、オア回路３３によりいわゆるフライホイール回路を構成し、２値化信号Ｓ１に同期パターンが現れるタイミングで信号レベルが立ち上がるフレーム同期信号ＦＣＫを生成する。
【００５４】
パターン判定回路３７は、同期パターンとクラスタ同期信号のビット長に対応する７２ビットのシフトレジスタを有し、２値化信号Ｓ１をクロックＣＫにより順次ラッチしてこのシフトレジスタを転送する。さらにパターン判定回路３７は、クラスタ同期信号と続くメイン部の同期パターンＳＹ０とにより構成される７２ビットの論理パターンとの間で、このシフトレジスタのパラレル出力を比較し、不一致のビット数をフレーム判別回路３８に通知する。
【００５５】
これによりパターン判定回路３７は、このシフトレジスタのパラレル出力に、クラスタ同期信号と、続くメイン部の同期パターンＳＹ０とが正しく現れると、値０の不一致ビット数をフレーム判別回路３８に通知する。また傷等により、クラスタ同期信号と、続くメイン部の同期パターンＳＹ０とが正しくパラレル出力に現れない場合には、傷等の影響に応じた不一致のビット数を通知することになる。
【００５６】
フレーム判別回路３８は、フレーム同期信号ＦＣＫが立ち上がる周期により所定の処理手順を実行し、アンド回路３６Ａ〜３６Ｇを介して得られる同期パターンの検出結果、パターン判定回路３７より得られる不一致ビット数に基づいて、メインデータ部の開始のタイミングを検出する。これによりフレーム判別回路３８は、このタイミング検出結果より、復号データＤ３に識別データＩＤ、続くパリティＩＥＣが現れるタイミングで信号レベルが立ち上がるタイミング検出信号ＴＳを出力する。
【００５７】
またフレーム判別回路３８は、アンド回路３６Ａ〜３６Ｇを介して得られる同期パターンの検出結果より、各セクタ中におけるシンクフレームの番号を特定し、このシンクフレームの番号ＳＹＮＯを出力する。このときフレーム判別回路３８は、連続した３つのシンクフレームについて順次得られる同期パターンの検出結果より、シンクフレームの番号を特定し、これによりシンクフレームの誤検出を有効に回避する。かくするにつき、この実施例では、連続する同期パターン及び１つの同期パターンを間に挟んだ連続する同期パターンにおいて、１つのセクタ内では、同一の組み合わせが存在しないことにより、このようにして確実にシンクフレームを特定することができる。
【００５８】
ＩＤデコード部２０は、ラッチ回路２０Ａにおいて、タイミング検出信号ＴＳを基準にして復号データＤ３を順次ラッチすることにより、識別データＩＤ、パリティＩＥＣを取り込む。さらにＩＤデコード部２０は、エラー訂正回路２０Ｂにおいて、この取り込んだ識別データＩＤをパリティＩＥＣにより誤り訂正し、メモリ制御回路２０Ｃに通知する。メモリ制御回路２０Ｃは、この識別データＩＤの検出結果より、復号データＤ３のセクタを特定し、またフレーム判別回路３８より得られるシンクフレームの番号ＳＹＮＯより、復号データＤ３のシンクフレームを特定し、これらの特定結果に基づいてメモリ２１をアドレス制御する。
【００５９】
このときメモリ制御回路２０Ｃは、一旦、識別データＩＤが検出されると、及び又はフレーム判別回路３８よりシンクフレームの番号ＳＹＮＯが通知されると、内蔵のカウンタによりフレーム同期信号ＦＣＫ、クロックＣＫをカウントしてメモリ２１をアドレス制御することにより、ビット誤り等により復調部１９において、一時的に同期パターンを検出できない場合でも、復号データＤ３を正しい配列によりメモリ２１に格納する。これらによりＩＤデコード部２０は、復号データＤ３を正しい配列により元のコンピュータデータＤ１に復号するようになされている。
【００６０】
図１２は、フレーム判別回路３８における処理手順を示すフローチャートである。フレーム判別回路３８は、フレーム同期信号ＦＣＫの周期によりこの処理手順を繰り返して、ＩＤデコード部２０にタイミング検出信号ＴＳを出力する。すなわちフレーム判別回路３８は、フレーム同期信号ＦＣＫが立ち上がると、ステップＳＰ１からステップＳＰ２に移り、ここでこのフレーム同期信号ＦＣＫに対応するタイミングにより第１の同期パターンＳＹ０が検出され、かつこの同期パターンより逆上って連続して７個の同期パターン（ＳＹ２−ＳＹ５−ＳＹ６−ＳＹ５−ＳＹ１−ＳＹ６−ＳＹ０）を正しい順序により検出できたか否か判断する。なおフレーム判別回路３８は、フレーム同期信号ＦＣＫを基準にして、アンド回路３６Ａ〜３６Ｇを介して得られる同期パターンの検出結果を取り込んで所定期間保持するようになされており、この保持した同期パターンの検出結果よりこの処理手順における判断を実行する。
【００６１】
ここで肯定結果が得られると、この場合、図６について説明した同期パターンが、メインデータ部の先頭フレームより逆上って７フレームの期間の間、順次正しく検出されていることにより、ステップＳＰ３に移り、第１の同期パターンＳＹ０を正しく検出できたと判断する。この場合、この処理手順を開始したフレーム同期信号ＦＣＫに対応するシンクフレームにおいて、同期パターンに続く２バイト目から７バイト目までは、識別データＩＤとパリティ符号ＩＥＣでなる復号データＤ３が得られることにより、フレーム判別回路３８は、ステップＳＰ４に移り、ＩＤデコード部２０にタイミング検出信号ＴＳを出力し、これによりＩＤデコード部２０に識別データＩＤの検出を指示する。これによりこの実施例では、ＩＤデコード部２０で識別データＩＤが正しく検出され、この検出された識別データＩＤを基準にしてメモリ２１のアドレス制御が実行されることになる。
【００６２】
かくしてフレーム判別回路３８は、タイミング検出信号ＴＳを出力すると、ステップＳＰ５に移ってこの処理手順を終了する。
【００６３】
これに対してステップＳＰ２において否定結果が得られると、フレーム判別回路３８は、ステップＳＰ６に移り、フレーム同期信号ＦＣＫに対応するタイミングにより第１の同期パターンＳＹ０が検出され、かつこの同期パターンより逆上って連続して６個の同期パターン（ＳＹ５−ＳＹ６−ＳＹ５−ＳＹ１−ＳＹ６−ＳＹ０）を正しい順序により検出できたか否か判断する。
【００６４】
ここで肯定結果が得られると、この場合、ステップＳＰ２において肯定結果が得られる場合に比しては信頼性が低いものの、十分な信頼性により第１の同期パターンＳＹ０を正しく検出できたと判断することができることにより、ステップＳＰ３に移り、同様の処理手順を実行する。
【００６５】
これに対してステップＳＰ６において否定結果が得られると、フレーム判別回路３８は、ステップＳＰ７に移り、フレーム同期信号ＦＣＫに対応するタイミングにより第１の同期パターンＳＹ０が検出され、かつこの同期パターンより逆上って連続して５個の同期パターン（ＳＹ６−ＳＹ５−ＳＹ１−ＳＹ６−ＳＹ０）を正しい順序により検出できたか否か判断する。
【００６６】
ここで肯定結果が得られると、この場合、ステップＳＰ６において肯定結果が得られる場合に比しては信頼性が低いものの、十分な信頼性により第１の同期パターンＳＹ０を正しく検出できたと判断することができることにより、ステップＳＰ３に移り、同様の処理手順を実行する。
【００６７】
これに対してステップＳＰ７において否定結果が得られると、フレーム判別回路３８は、ステップＳＰ８に移り、フレーム同期信号ＦＣＫに対応するタイミングにより第１の同期パターンＳＹ０が検出され、かつこの同期パターンより逆上って連続して４個の同期パターン（ＳＹ５−ＳＹ１−ＳＹ６−ＳＹ０）を正しい順序により検出できたか否か判断する。
【００６８】
ここで肯定結果が得られると、この場合も、ステップＳＰ７において肯定結果が得られる場合に比しては信頼性が低いものの、十分な信頼性により第１の同期パターンＳＹ０を正しく検出できたと判断することができることにより、ステップＳＰ３に移り、同様の処理手順を実行する。
【００６９】
これに対してステップＳＰ８において否定結果が得られると、フレーム判別回路３８は、ステップＳＰ９に移り、フレーム同期信号ＦＣＫに対応するタイミングにより第１の同期パターンＳＹ０が検出され、かつこの同期パターンより逆上って連続して３個の同期パターン（ＳＹ１−ＳＹ６−ＳＹ０）を正しい順序により検出できたか否か判断する。
【００７０】
ここで肯定結果が得られると、この場合も、直前のステップＳＰ８において肯定結果が得られる場合に比しては信頼性が低いものの、十分な信頼性により第１の同期パターンＳＹ０を正しく検出できたと判断することができることにより、ステップＳＰ３に移り、同様の処理手順を実行する。
【００７１】
これに対してステップＳＰ９において否定結果が得られると、フレーム判別回路３８は、ステップＳＰ１０に移り、フレーム同期信号ＦＣＫに対応するタイミングにより第１の同期パターンＳＹ０が検出され、かつこの同期パターンより逆上って連続して２個の同期パターン（ＳＹ６−ＳＹ０）を正しい順序により検出できたか否か判断する。
【００７２】
ここで肯定結果が得られると、この場合も、直前のステップＳＰ９において肯定結果が得られる場合に比しては信頼性が低いものの、十分な信頼性により第１の同期パターンＳＹ０を正しく検出できたと判断することができることにより、ステップＳＰ３に移り、同様の処理手順を実行する。
【００７３】
これに対してステップＳＰ１０において否定結果が得られると、フレーム判別回路３８は、ステップＳＰ１１に移り、パターン判定回路３７において、連続する７２ビットの再生データがクラスタ同期信号及び第１の同期パターンＳＹ０と完全に一致したか否か判断する。ここで肯定結果が得られると、この場合十分な信頼性により第１の同期パターンＳＹ０を正しく検出できたと判断することができることにより、ステップＳＰ３に移り、同様の処理手順を実行する。
【００７４】
これに対してステップＳＰ１１において否定結果が得られると、フレーム判別回路３８は、ステップＳＰ１２に移り、フレーム同期信号ＦＣＫに対応するタイミングにより第１の同期パターンＳＹ０が検出されたか否か判断し、この場合信頼性は低いものの、第１の同期パターンＳＹ０を正しく検出できたと判断することができることにより、ステップＳＰ３に移り、同様の処理手順を実行する。
【００７５】
これに対してステップＳＰ１２において否定結果が得られると、フレーム判別回路３８は、ステップＳＰ１３に移り、パターン判定回路３７において、２ビット以下の不一致により、連続する７２ビットの再生データがクラスタ同期信号及び第１の同期パターンＳＹ０と一致したか否か判断する。ここで肯定結果が得られると、この場合は信頼性は低いものの、十分に第１の同期パターンＳＹ０を正しく検出できたと判断することができることにより、ステップＳＰ３に移り、同様の処理手順を実行する。
【００７６】
これに対して第１の同期パターンＳＹ０を同期パターン検出回路３５において検出できない場合で、かつパターン判定回路３７において、連続する７２ビットの再生データＤ２をクラスタ同期信号及び第１の同期パターンＳＹ０を比較した際に、３ビット以上の不一致が発生した場合、各セクタの先頭シンクフレーム以外の、シンクフレームの開始のタイミング等と判断できることにより、ステップＳＰ１４に移り、第１の同期パターンＳＹ０を検出困難と判断する。さらにこの場合、ＩＤデコード部２０にタイミング検出信号ＴＳを出力することなく、ステップＳＰ５に移ってこの処理手順を終了する。
（２）第１の実施例の動作
以上の構成において、コンピュータ等より入力されるデータＤ１は（図２）、データ入力部５を介して、クラスタを構成する所定ブロック単位でＩＤ、ＥＤＣエンコード部６に入力され、ここでスクランブル処理され、制御データＣＴＲＬ、識別データＩＤ、識別データのパリティＩＥＣ、リザーブ用のデータＡＵＸがセクタ単位で付加される（図３、図５）。さらにＥＣＣエンコード部７において、積符号形式の誤り訂正符号が付加された後、メモリ８の入出力によりインターリーブ処理された後、変調部１０においてＰＬＬ（１，７）変調される（図４）。その後、プリアンブル、ポストアンブルが割り当てられた後、ＤＳＶ制御用のコントロールビットが付加される。さらにその後、ＮＲＺＩ変調された後、同期パターンが付加されて、記録データＤＲが生成され、この記録データＤＲに応じて変調コイル１２が駆動されることにより光ディスク２にクラスタ単位で熱磁気記録される。
【００７７】
このようにして記録される際に、各シンクフレームには（図６）、１のセクタ内で、同一の組み合わせによる同期パターンが連続しないように、すなわち連続するフレームを任意に選択した場合に、この連続するフレームに割り当てた同期パターンの組み合わせが、他の何れかの連続するフレームに割り当てた同期パターンの組み合わせと異なるように、７種類の同期パターンが選択的に割り当てられる（図８）。
【００７８】
また１つの同期パターンを間に挟んだ前後の同期パターンにおいても、１のセクタ内で、同一の組み合わせによる同期パターンが発生しないように、すなわち連続する３つのフレームを任意に選択した場合に、この連続する３つのフレームの先頭のフレーム及び末尾のフレームに割り当てた同期パターンの組み合わせが、他の何れかの３つの連続するフレームの先頭のフレーム及び末尾のフレームに割り当てた同期パターンの組み合わせと異なるように、７種類の同期パターンが選択的に割り当てられる（図９）。
【００７９】
これらにより各クラスタは、１のセクタ内で、任意に選択した連続する３つのフレームに割り当てた同期パターンの組み合わせが、他の連続する３つのフレームに割り当てた同期パターンの組み合わせと異なるように、保持される。また同様に、連続した４つのフレームに割り当てた同期パターンの組み合わせが、同様に選択した他の連続した４つのフレームに割り当てた同期パターンの組み合わせと異なるように、保持される。
【００８０】
これらにより光ディスク装置１では、連続する同期パターンよりシンクフレームを特定して、シンクフレームを正しく特定できるようになされている。
【００８１】
またプリアンブルにおいては、先頭側に、第７の同期パターンＳＹ６が連続するように配置され、メインデータ部に近づくに従って、第７の同期パターンＳＹ６以外の同期パターンＳＹ２、ＳＹ１、……が配置され、ポストアンブルにおいては、第７の同期パターンＳＹ６が繰り返される。
【００８２】
さらにプリアンブルの各シンクフレームにおいては、１８段のシフトレジスタ１０Ｄに初期値データＤＰ１をセットしたスクランブル回路１０Ｃにより（図１０）、論理０のデータがスクランブル処理され、これによりこのスクランブル処理により決まる固定値のデータＤＰが割り当てられる。このうちメインデータ部側の末尾に割り当てられる４８ビットのデータ（図６）は、論理”100100100100010100010100100100000100100100100010”の記録データＤＲを構成し、識別データＩＤの検出に役立てるクラスタ同期信号を形成する。
【００８３】
これに対して再生時、光ディスク装置１では（図２）、光ディスク２にレーザービームを照射して得られる戻り光より、この戻り光の偏光面に応じて信号レベルが変化する再生信号ＭＯが得られ、この再生信号ＭＯが復調部１９において復号データＤ３に変換される。さらにこの復号データＤ３が、メモリ２１の入出力によりデインターリーブ処理され、ＥＣＣデコード部２２により誤り訂正処理された後、デスクランブル処理される。またＥＤＣデコード部２３により誤り検出処理され、データ出力部２４より出力される。
【００８４】
このようにして処理されるにつき、再生信号ＭＯは（図１）、復調部１９において、２値化回路３０により２値化信号Ｓ１に変換された後、ＰＬＬ回路３１において２値化信号Ｓ１よりクロックＣＫが再生される。２値化信号Ｓ１は、この再生されたクロックＣＫにより復号回路３４で順序処理されて復号データＤ３が復号される。
【００８５】
この一連の処理と並列に、同期パターン検出回路３５において、それぞれ７種類の同期パターンＳＹ０〜ＳＹ６が２値化信号Ｓ１に現れると信号レベルの立ち上がるパターン検出信号が生成され、カウンタ３２によりクロックＣＫをカウントして生成される同期信号検出用ウインドウ信号ＦＣＫＷにより、これらパターン検出信号がそれぞれアンド回路３６Ａ〜３６Ｇでゲートされた後、オア回路３３で論理和信号が生成される。さらにこの論理和信号によりカウンタ３２がリセットされ、これにより同期パターンのタイミングで信号レベルが立ち上がるフレーム同期信号ＦＣＫ、このフレーム同期信号ＦＣＫより広い範囲で信号レベルが立ち上がる同期信号検出用ウインドウ信号ＦＣＫＷが生成される。
【００８６】
さらにパターン判定回路３７において、連続する７２ビットの再生データと、クラスタ同期信号及び第１の同期パターンＳＹ０とにより構成される７２ビットの論理パターンとの間で、不一致のビット数が検出され、この不一致のビット数がフレーム判別回路３８に通知される。
【００８７】
このフレーム判別回路３８においては、同期パターン検出回路３５の検出結果より、フレーム同期信号ＦＣＫのタイミングで、所定の順序の同期パターンの配列に続いて、第１の同期パターンＳＹ０が検出されたか否か判断され（図１２、ステップＳＰ２、ＳＰ６、ＳＰ７、ＳＰ８、ＳＰ９、ＳＰ１０）、これらの場合には、このフレーム同期信号ＦＣＫのタイミングを基準にして、対応するシンクフレームの２バイト目から６バイト目の間で信号レベルが立ち上がるタイミング検出信号ＴＳが生成される。
【００８８】
また同様にして、フレーム判別回路３８において、パターン判定回路３７より通知される不一致ビット数より、連続する７２ビットの再生データが全て正しく検出されて第１の同期パターンＳＹ０が検出されたか否か判断され（図１２、ステップＳＰ１１）、この場合にも、このフレーム同期信号ＦＣＫのタイミングを基準にしてタイミング検出信号ＴＳが生成される。
【００８９】
これに対して単に第１の同期パターンＳＹ０が検出された場合（図１２、ステップＳＰ１２）、クラスタの先頭のセクタにおいては、それまでの再生データに誤りが発生している場合も考えられ、またクラスタの先頭以外のセクタで検出される場合も該当することにより、この場合もこのフレーム同期信号ＦＣＫのタイミングを基準にしてタイミング検出信号ＴＳが生成される。
【００９０】
さらにフレーム判別回路３８において、パターン判定回路３７より通知される不一致ビット数より、２ビット以下の不一致で、連続する７２ビットの再生データがクラスタ同期信号と第１の同期パターンＳＹ０と一致するか否か判断され（図１２、ステップＳＰ１３）、これによりクラスタの先頭セクタにおいて、第１の同期パターンＳＹ０自体に誤りが発生した場合に、これを救済してタイミング検出信号ＴＳが生成される。
【００９１】
すなわち同期パターンＳＹ０が２４ビット長でなることから、連続する７２ビットにおいて、同期パターンＳＹ０及びクラスタ同期信号との間で２ビット以下の不一致が検出された場合、同期パターンＳＹ０にビット誤りが発生して、同期パターンを正しく検出できなかった場合の確率が極めて高いと判断することができる。この場合同期パターンＳＹ０だけを基準にしてクラスタの先頭を検出する場合には、正しいタイミングを判定することが困難であるのに対し、この実施例では正しいタイミングを判定することができる。これにより傷等によって同期パターンを正しく検出できない場合でも、識別データＩＤを正しく検出して、確実にメインデータを復調することができる。
【００９２】
このようにしてクラスタの先頭セクタの開始、さらには各セクタの先頭セクタの開始を検出すると共に、フレーム判別回路３８において、連続して検出された３つの同期パターンより各セクタ内における対応するシンクフレームの番号ＳＹＮＯが検出され、この番号ＳＹＮＯがＩＤデコード部２０に通知される。このときこの実施例では、連続する同期パターン、１つの同期パターンを間に挟んだ連続する同期パターンにおいて、１のセクタ内で、同一の組み合わせによる同期パターンが発生しないように同期パターンが割り当てられていることにより、確実にシンクフレームの番号が特定される。
【００９３】
ＩＤデコード部２０において、このタイミング検出信号ＴＳにより、各セクタの先頭シンクフレームに割り当てられた識別データＩＤが、そのパリティ符号ＩＥＣと共に検出される。さらにこの識別データＩＤによりメモリ２１に入力する復号データＤ３のセクタが特定され、さらにフレーム判別回路３８より通知されるシンクフレームの番号ＳＹＮＯにより各セクタ内におけるシンクフレームが特定される。これによりこれら識別データＩＤ及びシンクフレームの番号ＳＹＮＯによりメモリ２１のアドレス制御が実行されて、正しい配列により復号データＤ３が処理される。またこのとき識別データＩＤのタイミング、シンクフレームの番号ＳＹＮＯをフレーム判別回路３８において正しく検出できない場合は、クロック及びフレーム同期信号をカウントした補間処理によりメモリ２１がアドレス制御される。
（３）第１の実施例の効果
以上の構成によれば、クラスタの先頭セクタの直前に配置された固定値のデータでなるクラスタ同期信号を参考にして、先頭セクタの開始のタイミングを検出することにより、傷等により同期パターンが正しく検出できない場合でも、確実に先頭シンクフレームに割り当てた識別データＩＤを検出して、復号データを正しく処理することができる。
【００９４】
また各セクタの先頭シンクフレームに、他のシンクフレームには割り当てていない特定の同期パターンＳＹ０を割り当てたことにより、確実に各セクタの開始のタイミングを検出して識別データを検出することができる。
【００９５】
さらに各セクタにおいては、連続する同期パターンにおいて、同一の組み合わせが発生しないように同期パターンを割り当てたことにより、さらには１つの同期パターンを間に挟んだ連続する同期パターンにおいて、同一の組み合わせが発生しないように同期パターンを割り当てたことにより、確実にシンクフレームを特定でき、これによっても復号データを正しい配列により処理することができる。
【実施例２】
【００９６】
図１３は、図１との対比により本発明の第２の実施例に係る光ディスク装置の復調部を周辺回路と共に示すブロック図である。この実施例に係る復調部４９では、別途、クラスタ同期信号を検出する。なおこの図１３において、図１について上述した構成と同一の構成は、対応する符号を付して示し、重複した説明は省略する。
【００９７】
この復調部４９は、パターン判定回路５０において、クラスタ同期信号を検出する。すなわち図１４に示すように、復調部４９においては、２値化信号Ｓ１（図１４（Ａ））より生成したクロックＣＫをカウンタ５１によりカウントし、フレーム同期信号ＦＣＫ、同期信号検出用ウインドウ信号ＦＣＫＷ（図１４（Ｅ））を生成する。さらにクラスタ同期信号に対応するクラスタ同期信号検出用ウインドウ信号ＣＷ（図１４（Ｃ））を生成する。
【００９８】
パターン判定回路５０においては、パターン判定回路３７と同様にして、２値化信号Ｓ１を順次ラッチして検出される４８ビットの再生データが、クラスタ同期信号と一致するか否か判定し、クラスタ同期信号が２値化信号に現れると信号レベルが立ち上がるクラスタ同期信号の検出信号ＳＣ（図１４（Ｂ））を出力する。アンド回路５２は、クラスタ同期信号検出用ウインドウ信号ＣＷにより、クラスタ同期信号の検出信号ＳＣをゲートして出力する。
【００９９】
かくするにつきこの実施例では、第１の同期パターンＳＹ０の検出信号ＳＹ０（図１４（Ｄ））をゲートする同期信号検出用ウインドウ信号ＦＣＫＷに比して、クラスタ同期信号検出用ウインドウ信号ＣＷのウインドウ幅ＷＣが狭くなるように設定し、これによりシンクフレームにおいても同一の論理パターンが発生する可能性のあるクラスタ同期信号を確実に検出する。
【０１００】
フレーム判別回路５３は、図１について上述したフレーム判別回路３８と同様にしてシンクフレームの番号ＳＹＮＯを検出して出力する。また図１２との対比により図１５に示す処理手順により、セクタの開始のタイミングを検出し、タイミング検出信号ＴＳを出力する。なおこの図１５において、図１２と同一の処理手順は、対応する符号を付して示し、説明を簡略化する。
【０１０１】
すなわちフレーム判別回路５３は、ステップＳＰ１から処理手順を開始して順次連続する同期パターンを基準にしてセクタの開始のタイミングを検出し（ステップＳＰ２、ＳＰ６、ＳＰ７、ＳＰ８、ＳＰ９、ＳＰ１０）、タイミング検出信号を出力する（ＳＰ３、ＳＰ４）。この一連の処理において、同期パターンＳＹ６に続いて第１の同期パターンＳＹ０を検出できない場合、ステップＳＰ１０からステップＳＰ２１に移り、アンド回路５２の出力信号より、クラスタ同期信号検出用ウインドウ信号ＣＷのウインドウ内において、クラスタ同期信号を検出できたか否か判断する。
【０１０２】
このようにクラスタ同期信号だけを基準にしても、フレーム同期信号ＦＣＫを基準にしたクラスタ同期信号検出用ウインドウ信号ＣＷにより検出結果を制限することにより、高い精度によりフレーム同期信号を検出して、メインデータの先頭を検出することができる。これによりフレーム判別回路５３は、ステップＳＰ２１において、肯定結果が得られるとステップＳＰ３に移り、タイミング信号ＴＳを出力するのに対し、否定結果が得られると、ステップＳＰ１３に移り、連続する７２ビットの再生データよりセクタの開始を判定する。
【０１０３】
図１３〜図１５に示す構成によれば、クラスタ同期信号だけ単独で使用しても、傷等によって同期パターンを正しく検出できない場合に、識別データＩＤを正しく検出して、確実にメインデータを復調することができる。
【実施例３】
【０１０４】
なお上述の実施例においては、論理０のデータをスクランブル処理して得られるプリアンブルの末尾４８ビットをクラスタ同期信号として使用する場合について述べたが、本発明はこれに限らず、種々のビット数をクラスタ同期信号として使用して、同様の効果を得ることができる。
【０１０５】
また上述の実施例においては、論理０のデータをスクランブル処理して得られるプリアンブルの末尾をクラスタ同期信号として使用する場合について述べたが、本発明はこれに限らず、クラスタ同期信号として専用の固定データを割り当ててもよい。またこのときスクランブル処理を省略してもよい。例えばこの場合、Ｆ５Ｆ５Ｆ５Ｆ５ｈのデータを割り当てれば、変調により論理”1001000100”を４回繰り返してなる４８ビットの変調データＤＲが得られ、この固定データによりメインデータの開始のタイミングを検出してもよい。
【０１０６】
さらに上述の実施例においては、１セクタを２６シンクフレームにより構成する場合について述べたが、本発明はこれに限らず、１のブロックを種々のシンクフレームにより構成する場合に広く適用することができる。
【０１０７】
また上述の実施例においては、１のセクタに７種類の同期パターンを配置する場合について述べたが、本発明はこれに限らず、１のセクタに種々の同期パターンを配置する場合に広く適用することができる。
【０１０８】
また上述の実施例においては、同期パターンにより各フレームを特定し、併せてＰＬＬ回路の同期を図れるようにする場合について述べたが、本発明はこれに限らず、シンクフレームを特定する識別パターンを配置する場合に広く適用することができる。
【０１０９】
さらに上述の実施例においては、光ディスクにコンピュータデータを熱磁気記録する場合について述べたが、本発明はこれに限らず、相変化型の光ディスク、ライトワンス型の光ディスクにＡＶデータを記録する場合、さらには種々のデータを記録する場合に広く適用することができる。
【０１１０】
また上述の実施例においては、光ディスク装置に本発明を適用する場合について述べたが、本発明はこれに限らず、磁気記録媒体等の種々の伝送路を介して所望のデータを伝送する場合にも広く適用することができる。
【０１１１】
また上述の実施例においては、光ディスクでなる記録媒体に所望のデータを記録する場合について述べたが、本発明はこれに限らず、再生専用の記録媒体についても広く適用することができる。
【産業上の利用可能性】
【０１１２】
本発明は、記録媒体、データ送信装置、データ受信装置及び光ディスク装置に関し、特に所定のブロック単位でコンピュータデータ等を伝送し、又は光ディスクに記録するシステムに適用することができる。
【図面の簡単な説明】
【０１１３】
【図１】本発明の第１の実施例に係る光ディスク装置の復調部を周辺構成と共に示すブロック図である。
【図２】図１の復調部が適用される光ディスク装置を示すブロック図である。
【図３】図２の光ディスク装置におけるデータ処理の説明に供するブロック図である。
【図４】図２の光ディスク装置における変調部の動作の説明に供する図表である。
【図５】図２の光ディスク装置における先頭のシンクフレームの構成を示す図表である。
【図６】図２の光ディスク装置におけるクラスタの構成を示す図表である。
【図７】同期パターンを示す図表である。
【図８】連続する同期パターンの説明に供する略線図である。
【図９】１つの同期パターンを間に挟んで連続する同期パターンの説明に供する略線図である。
【図１０】スクランブル回路を示すブロック図である。
【図１１】図２の光ディスク装置の復調部の動作の説明に供する図表である。
【図１２】図２の光ディスク装置のフレーム判別回路の処理手順を示すフローチャートである。
【図１３】第２の実施例に係る光ディスク装置の復調部を周辺構成と共に示すブロック図である。
【図１４】図１３の復調部の動作の説明に供する信号波形図である。
【図１５】図１３の復調部におけるフレーム判別回路の処理手順を示すフローチャートである。
【図１６】従来の光ディスク装置におけるクラスタの構成を示す図表である。
【図１７】図１６のセクタの構成を示す図表である。
【符号の説明】
【０１１４】
１……光ディスク装置、２……光ディスク、８、２１……メモリ、６……ＩＤ、ＥＤＣエンコード部、１０……変調部、１９、４９……復調部、２０……ＩＤデコード部、２０Ｃ……メモリ制御回路、３０……２値化回路、３１……ＰＬＬ回路、３２、５１……カウンタ、３４……復調回路、３５……同期パターン検出回路、３７、５０……パターン判定回路、３８、５３……フレーム判別回路
【図１】
2006260764.tif 000003
【図２】
2006260764.tif 000004
【図３】
2006260764.tif 000005
【図４】
2006260764.tif 000006
【図５】
2006260764.tif 000007
【図６】
2006260764.tif 000008
【図７】
2006260764.tif 000009
【図８】
2006260764.tif 000010
【図９】
2006260764.tif 000011
【図１０】
2006260764.tif 000012
【図１１】
2006260764.tif 000013
【図１２】
2006260764.tif 000014
【図１３】
2006260764.tif 000015
【図１４】
2006260764.tif 000016
【図１５】
2006260764.tif 000017
【図１６】
2006260764.tif 000018
【図１７】
2006260764.tif 000019